(57)【要約】【課題】予約登録の間違えや労力をより少なくする。【解決手段】番組の録画又は視聴の予約登録を受け付け可能な放送受信装置であって、１つのチャンネルを指定するチャンネル入力を所定秒以上継続して受け付けたか否か判定するチャンネル入力判定部と、前記チャンネル入力を所定秒以上継続して受け付けたと判定された場合に、時刻の入力を受け付ける時刻受付部と、前記チャンネル入力にかかるチャンネルの番組であって前記入力された時刻を放送時間帯に含む番組だけの情報を記した番組情報画面を、所定の表示部に表示させる表示制御部と、前記表示制御部によって表示された画面に情報が含まれる番組に対する前記予約登録を受け付ける予約受付部と、を備える。【選択図】図５
2015119254.tif 000002
【特許請求の範囲】
【請求項１】
番組の録画又は視聴の予約登録を受け付け可能な放送受信装置であって、
１つのチャンネルを指定するチャンネル入力を所定秒以上継続して受け付けたか否か判定するチャンネル入力判定部と、
前記チャンネル入力を所定秒以上継続して受け付けたと判定された場合に、時刻の入力を受け付ける時刻受付部と、
前記チャンネル入力にかかるチャンネルの番組であって前記入力された時刻を放送時間帯に含む番組だけの情報を記した番組情報画面を、所定の表示部に表示させる表示制御部と、
前記表示制御部によって表示された画面に情報が含まれる番組に対する前記予約登録を受け付ける予約受付部と、を備えることを特徴とする放送受信装置。
【請求項２】
前記表示制御部は、前記チャンネル入力にかかるチャンネルの番組であって前記入力された時刻を放送時間帯に含む数日分の番組の情報を記した前記番組情報画面を表示させることを特徴とする請求項１に記載の放送受信装置。
【請求項３】
前記時刻受付部が日付の入力を前記時刻の入力とともに受け付けた場合には、前記表示制御部は、前記番組情報画面に含まれる当該日付の番組の情報をハイライト表示させることを特徴とする請求項２に記載の放送受信装置。
【請求項４】
前記表示制御部は、前記番組情報画面を表示させた状態で時間帯の切替え指示を受け付けた場合には、前記チャンネル入力にかかるチャンネルの番組であって前記入力された時刻を放送時間帯に含む番組の前あるいは後の番組の情報を記した画面に表示を切替えることを特徴とする請求項１〜請求項３のいずれかに記載の放送受信装置。
【請求項５】
前記表示制御部は、前記番組情報画面を表示させた状態でチャンネルの切替え指示を受け付けた場合には、当該切替え先のチャンネルの番組であって前記入力された時刻を放送時間帯に含む番組だけの情報を記した画面に表示を切替えることを特徴とする請求項１〜請求項４のいずれかに記載の放送受信装置。
【請求項６】
前記表示制御部は、前記入力された時刻と、前記チャンネル入力にかかるチャンネルの番組であって前記入力された時刻を放送時間帯に含む番組の終了時刻との差が所定時間以内である場合には、当該番組の情報を特定の表示態様とした前記番組情報画面を表示させることを特徴とする請求項１〜請求項５のいずれかに記載の放送受信装置。
【請求項７】
番組の情報を所定の表示部に表示させる表示制御装置であって、
１つのチャンネルを指定するチャンネル入力を所定秒以上継続して受け付けたか否か判定するチャンネル入力判定部と、
前記チャンネル入力を所定秒以上継続して受け付けたと判定された場合に、時刻の入力を受け付ける時刻受付部と、
前記チャンネル入力にかかるチャンネルの番組であって前記入力された時刻を放送時間帯に含む番組だけの情報を記した番組情報画面を、前記表示部に表示させる表示制御部と、を備えることを特徴とする表示制御装置。
【発明の詳細な説明】
【技術分野】
【０００１】
本発明は、放送受信装置および表示制御装置に関する。
【背景技術】
【０００２】
テレビ番組の録画又は視聴の予約登録を受け付け可能なテレビやレコーダーといった放送受信装置が知られている。ユーザーは、番組の予約登録を行う場合、主に次の第１の方法或いは第２の方法により実行する。
第１の方法：ユーザーは、リモートコントロール（リモコン）装置等を操作して放送受信装置に電子番組表をテレビ画面へ表示させ、当該番組表をスクロール等させながら所望の番組を目視で探し、探した番組について予約登録をする。
第２の方法：ユーザーは、リモコン装置等を操作して放送受信装置に録画予約用の画面をテレビ画面へ表示させ、「放送日」、「開始時刻」、「終了時刻」および「チャンネル」といった各情報を入力することで録画予約する。
【０００３】
なお、チャンネル番号を示すチャンネル識別情報、番組タイトルを示す番組識別情報、番組放送日情報、及び番組放送開始時刻情報を含む番組情報を受信する第１のステップと、画面の縦軸及び横軸のどちらか一方の軸を日付のパラメータとし他方の軸を時刻のパラメータとして、第１のステップにより受信された前記情報に基づき、前記チャンネル番号の番組タイトルを一覧表示する第３のステップとを備える番組情報出力方法が知られている（特許文献１参照）。
また、１つのチャンネルの番組について、時間軸と日付軸とによる番組表を表示するテレビジョン受像機が知られている（特許文献２参照）。
【先行技術文献】
【特許文献】
【０００４】
【特許文献１】特開２０００‐３５４２１０号公報
【特許文献２】特許第４０９１４４３号
【発明の概要】
【発明が解決しようとする課題】
【０００５】
前記第１の方法では、ユーザーが番組表から所望の番組を目視で探すのに時間を要し、また、所望の番組を見逃し易い（見つけにくい）という問題がある。また、前記第２の方法では、ユーザーが入力すべき項目が多く、かつ、間違えて入力した場合、間違って入力された情報に基づいて録画が実行されてしまう。特に、番組の開始時刻を正確に入力しなければ番組を冒頭から録画することができないが、ユーザーは、番組の開始時刻を、正確に認識していないこともある。なお、前記各文献においても、ユーザーが所望する番組を如何に容易かつ正確に見つけられるようにするかという点で、改善の余地があった。
【０００６】
本発明は前記課題の少なくとも一つを解決するためになされたものであり、所望の番組をより容易かつ正確に見つけることを可能とする放送受信装置および表示制御装置を提供する。
【課題を解決するための手段】
【０００７】
本発明の態様の一つは、番組の録画又は視聴の予約登録を受け付け可能な放送受信装置であって、１つのチャンネルを指定するチャンネル入力を所定秒以上継続して受け付けたか否か判定するチャンネル入力判定部と、前記チャンネル入力を所定秒以上継続して受け付けたと判定された場合に、時刻の入力を受け付ける時刻受付部と、前記チャンネル入力にかかるチャンネルの番組であって前記入力された時刻を放送時間帯に含む番組だけの情報を記した番組情報画面を、所定の表示部に表示させる表示制御部と、前記表示制御部によって表示された画面に情報が含まれる番組に対する前記予約登録を受け付ける予約受付部と、を備える。
【０００８】
当該構成によれば、ユーザーが所望のチャンネルを指定するチャンネル入力を所定秒以上継続した場合に、時刻受付部はさらにユーザーから時刻の入力を受け付ける。そして、表示制御部は、当該チャンネル入力にかかるチャンネルの番組であって、当該入力された時刻を放送時間帯に含む番組だけの情報を記した番組情報画面を、所定の表示部に表示させる。従って、ユーザーは、所望の番組のチャンネルと当該所望の番組の放送時間帯に含まれるいずれかの時刻とを入力することにより特定される番組だけを番組情報画面を介して確認し、番組情報画面に載っている番組の予約登録を確実に行うことができる。つまりユーザーにとっては、前記第１の方法と比較して所望の番組を画面上で探すのが楽であり、かつ、前記第２の方法よりは入力に正確さを求められない（番組の開始時刻等の記憶が曖昧でも所望の番組を探し出し易い）。
【０００９】
本発明の態様の一つは、前記表示制御部は、前記チャンネル入力にかかるチャンネルの番組であって前記入力された時刻を放送時間帯に含む数日分の番組の情報を記した前記番組情報画面を表示させるとしてもよい。
当該構成によれば、ユーザーは、所望の番組の放送日が判らなくても、チャンネルと放送時間帯に含まれるいずれかの時刻とを入力することにより、番組情報画面を介して所望の番組を確認することができる。
【００１０】
本発明の態様の一つは、前記時刻受付部が日付の入力を前記時刻の入力とともに受け付けた場合には、前記表示制御部は、前記番組情報画面に含まれる当該日付の番組の情報をハイライト表示させるとしてもよい。
ユーザーが日付の入力を時刻の入力とともにした場合には、ユーザー所望の番組の放送日は当該日付である可能性が高いため。そのため、当該構成のようにハイライト表示することで、ユーザーが所望する可能性が高い番組の存在をユーザーに確実に知らせることができる。
【００１１】
本発明の態様の一つは、前記表示制御部は、前記番組情報画面を表示させた状態で時間帯の切替え指示を受け付けた場合には、前記チャンネル入力にかかるチャンネルの番組であって前記入力された時刻を放送時間帯に含む番組の前あるいは後の番組の情報を記した画面に表示を切替えるとしてもよい。
当該構成によれば、ユーザーが、所望の番組の放送時間帯に属する時刻を一旦間違えて入力して前記番組情報画面が表示された場合であっても、時間帯の切替え指示に応じて、ユーザー所望の番組の情報を提示することができる。
【００１２】
本発明の態様の一つは、前記表示制御部は、前記番組情報画面を表示させた状態でチャンネルの切替え指示を受け付けた場合には、当該切替え先のチャンネルの番組であって前記入力された時刻を放送時間帯に含む番組だけの情報を記した画面に表示を切替えるとしてもよい。
当該構成によれば、ユーザーが、所望の番組のチャンネルを一旦間違えて入力して前記番組情報画面が表示された場合であっても、チャンネルの切替え指示に応じて、ユーザー所望の番組の情報を提示することができる。
【００１３】
本発明の態様の一つは、前記表示制御部は、前記入力された時刻と、前記チャンネル入力にかかるチャンネルの番組であって前記入力された時刻を放送時間帯に含む番組の終了時刻との差が所定時間以内である場合には、当該番組の情報を特定の表示態様とした前記番組情報画面を表示させるとしてもよい。
当該構成によれば、当該特定の表示態様により、前記入力された時刻を放送時間帯に含む番組よりも後に放送される番組を確認するようにユーザーを誘導することができる。
【００１４】
本発明の技術的思想は、上述した放送受信装置とは別の物や方法によって実現されてもよい。例えば、番組の情報を所定の表示部に表示させる表示制御装置であって、１つのチャンネルを指定するチャンネル入力を所定秒以上継続して受け付けたか否か判定するチャンネル入力判定部と、前記チャンネル入力を所定秒以上継続して受け付けたと判定された場合に、時刻の入力を受け付ける時刻受付部と、前記チャンネル入力にかかるチャンネルの番組であって前記入力された時刻を放送時間帯に含む番組だけの情報を記した番組情報画面を、前記表示部に表示させる表示制御部と、を備える構成を把握することができる。
【００１５】
また、上述した放送受信装置や表示制御装置が実行する処理工程を有する方法や、当該方法をハードウェア資源（コンピューター）に実行させるプログラムや、当該プログラムを記録したコンピューター読取可能な記録媒体を、それぞれ発明として捉えることができる。
【図面の簡単な説明】
【００１６】
【図１】装置構成の概略を示すブロック図である。
【図２】制御部が実現する各機能を示す図である。
【図３】予約登録処理を示すフローチャートである。
【図４】入力画面を例示する図である。
【図５】番組情報画面を例示する図である。
【図６】番組情報画面の他の例を示す図である。
【図７】時間帯を切替えたときの番組情報画面の切替えを例示する図である。
【図８】チャンネルを切替えたときの番組情報画面の切替えを例示する図である。
【図９】特定の表示態様を含んだ番組情報画面を例示する図である。
【発明を実施するための形態】
【００１７】
本発明の実施形態を、以下の順序に従って説明する。
１．装置の概略
２．第一の実施形態
３．第二の実施形態
４．第三の実施形態
５．第四の実施形態
６．第五の実施形態
【００１８】
１．装置の概略
図１は、本実施形態にかかる装置構成の概略を例示している。放送受信装置１０は、地上波、ＢＳ、ＣＳ等のチャンネルで放送されるテレビ放送信号を受信可能であり、また、テレビ番組の録画や視聴の予約登録を受け付け可能な装置である。放送受信装置１０の具体例としては、録画機能を持つレコーダーやテレビ（テレビジョン）が該当する。図１の例では、放送受信装置１０は、表示部としてのディスプレー３０を機体内に含んでいないレコーダーである。ディスプレー３０は、液晶ディスプレー、プラズマディスプレー、有機ＥＬディスプレー等である。ただし、放送受信装置１０が例えばテレビである場合は、放送受信装置１０はディスプレー３０を一体的に含んだ構成となる。
【００１９】
放送受信装置１０は、放送受信機能を有し、かつ後述の各実施形態を実行可能な装置であればよい。そのため、放送受信装置１０は、ゲーム機器等の性能を併せ持った複合型のレコーダー、デスクトップ型やラップトップ型のパーソナルコンピューター（ＰＣ）、携帯型端末、等であってもよい。放送受信装置１０は、外部に存在するあるいは内部に一体的に有するディスプレー３０による表示を制御するという点で、表示制御装置１０と呼ぶこともできる。
【００２０】
放送受信装置１０は、チューナ１１、デコーダー１２、制御部１３、出力インターフェイス（Ｉ／Ｆ）１４、リモコンＩ／Ｆ１５、操作部１６、記憶装置１７等を含んでいる。制御部１３は、ＣＰＵ１３ａ、メモリー１３ｂ等を有し、放送受信装置１０全体を制御するためのＩＣ（Integrated Circuit）として構成されている。制御部１３においては、ＣＰＵ１３ａがメモリー１３ｂに記憶されているプログラムに従った処理を実行することにより、種々の制御処理（例えば後述の予約登録処理）を実現する。
【００２１】
チューナ１１は、制御部１３による制御下において、アンテナ１１ａ等を介して放送信号を受信し、指定されたチャンネルにかかる信号を抽出、増幅等してデコーダー１２へ出力する。デコーダー１２は、チューナ１１からの信号を復号して映像信号や音声信号を抽出する。このような映像信号や音声信号は、出力Ｉ／Ｆ１４を介してディスプレー３０（や不図示のスピーカー）へ出力される。これにより、ユーザーは所望のチャンネルのテレビ番組を、ディスプレー３０を介して視聴することができる。
【００２２】
また、放送受信装置１０では、受信した放送信号に含まれるテレビ番組を、ハードディスクドライブや半導体メモリーにより構成された記憶装置１７に保存（録画）することができる。記憶装置１７に録画された状態のテレビ番組は、例えば、ＭＰＥＧ‐２（Moving Picture Expert Group-2）等の所定の規格で圧縮・符号化された動画ファイルである。放送受信装置１０では、記憶装置１７に録画されたテレビ番組の再生指示を受けた場合、デコーター１２が、記憶装置１７に録画されたテレビ番組としての動画ファイルを復号し、得られた再生信号（映像信号や音声信号）を、出力Ｉ／Ｆ１４を介してディスプレー３０（や不図示のスピーカー）へ出力する。
【００２３】
ユーザーは、リモコン装置２０や操作部１６を任意に操作することにより、チャンネルや音量の切替え、予約登録等を放送受信装置１０に対して指示することができる。制御部１３は、ユーザーからの当該指示を、リモコンＩ／Ｆ１５や操作部１６を介して受け付ける。操作部１６は、代表的には放送受信装置１０の所定位置に設けられた物理的なボタンやキーであるが、ユーザーによる操作を受け付けることが可能な機構であればよく、タッチパネル、タッチパッド、マウス、キーボード等といったものも該当し得る。
【００２４】
放送受信装置１０では、図示した要素以外にも、例えば、光ディスク等を対象とした読み込み／書き込みをするためのディスクドライブ等、放送受信装置１０の具体例として上述した各製品が通常有する要素を持ち得る。また、放送受信装置１０とディスプレー３０とが別体の製品である場合、放送受信装置１０とディスプレー３０との接続態様は、有線／無線を問わず、また、ＬＡＮ（ローカルエリアネットワーク）等のネットワークを介して接続するものであってもよい。
【００２５】
図２は、制御部１３が前記プログラムに従った処理をして実現する各機能を示している。制御部１３は、チャンネル入力判定部Ｆ１、時刻受付部Ｆ２、表示制御部Ｆ３、予約受付部Ｆ４、等を有する。こられ各機能については後述する。
このような構成を例として、以下に複数の実施形態を説明する。
【００２６】
２．第一の実施形態
図３は、本実施形態にかかる予約登録処理をフローチャートにより示している。予約登録処理を開始する前提として、放送受信装置１０は、主電源がオンとされて稼働状態にある。
ステップＳ１００では、チャンネル入力判定部Ｆ１は、１つのチャンネルを指定するチャンネル入力を所定秒以上継続して受け付けたか否か判定する。所定秒以上継続したチャンネル入力とは、具体的には、リモコン装置２０等に備えられたチャンネルボタンＣＢ（図１）のいずれかに対する“長押し”である。つまり、所望の番組の録画予約や視聴予約をしたいユーザーは、当該番組が放送されるチャンネルの数字に対応したチャンネルボタンＣＢを長押しする。チャンネル入力判定部Ｆ１は、ある１つのチャンネルボタンＣＢが押されたことを検知したら、その検知状態が所定秒（例えば、１秒あるいは２秒など）以上維持されるか監視し、所定秒以上維持された場合に、長押し在りと判定し（ステップＳ１００において“Ｙｅｓ”）、ステップＳ１１０へ進む。
【００２７】
ユーザーが“長押し”するのは、リモコン装置２０に備えられたチャンネルボタンＣＢに限定されない。操作部１６に、チャンネルボタンＣＢに相等するボタンやキーやタッチパネル等があり、ユーザーがそれらを所定秒以上継続して操作した場合にも、チャンネル入力判定部Ｆ１は、１つのチャンネルを指定するチャンネル入力を所定秒以上継続して受け付けた（つまり、長押し在り）と判定する。
【００２８】
ステップＳ１１０では、チャンネル入力判定部Ｆ１は、ステップＳ１００で受け付けたチャンネル入力が示すチャンネル（以下、指定チャンネル）が、放送信号が存在するチャンネルであるか否か判定する。そして、放送信号が存在する、つまり放送信号を受信するためのチャンネルとして設定されているチャンネルである場合に（ステップＳ１１０において“Ｙｅｓ”）、ステップＳ１２０へ進む。なお、ステップＳ１００やステップＳ１１０で“Ｎｏ”と判定された場合は、ステップＳ１００の判定に戻る。
【００２９】
ステップＳ１２０では、時刻受付部Ｆ２は、時刻等の入力を受け付けるための入力画面をディスプレー３０に表示させ、ユーザーから時刻等の入力を受け付ける。
図４Ａおよび図４Ｂは、ステップＳ１２０で表示される入力画面４１をそれぞれ例示している。入力画面４１は、ＯＳＤ（On-Screen Display）表示される。例えば、「○○ＴＶ」という放送局を示す「３」というチャンネル番号の入力（長押し）がステップＳ１００で受け付けられた場合、入力画面４１内には、そのようなチャンネル番号や放送局名の表示とともに、「予約したい番組が放送される日時を入力して下さい。」等といったメッセージが表示される。
【００３０】
ユーザーは、このような入力画面４１を見ながら、リモコン装置２０や操作部１６を操作することにより、４桁あるいは６桁の数字を入力する。４桁の入力は、時と分の指定（時刻の指定）を意味し、６桁の入力は、日、時および分の指定（日付および時刻の指定）を意味する。例えば、ユーザーは、予約したい所望の番組が１５時３５分に放送されるという記憶に基づいて、１５３５という４桁の数字を入力する。すると、図４Ａに示すように、１５時３５分という時刻が入力画面４１内に表示される。あるいは、ユーザーは、予約したい所望の番組が当月の２２日の１５時３５分に放送されるという記憶に基づいて、２２１５３５という６桁の数字を入力する。すると、図４Ｂに示すように、２２日１５時３５分という時刻が入力画面４１内に表示される。４桁を入力するか６桁を入力するかはユーザーの任意である。つまり、予約したい番組の放送日を知らなければ４桁を入力して時と分のみを指定し、予約したい番組の放送日まで認識していれば６桁を入力して日、時および分を指定する。なお、図４Ａ，４Ｂでは、入力画面４１は、ユーザーからの入力を受ける前の状態で、日、時および分の入力欄を有する表示態様（６桁の数字を入力可能な表示態様）となっているが、日の入力欄を有さずに、時および分の入力欄のみとした、４桁の数字を入力可能な表示態様であってもよい。このような表示態様とすれば、ユーザーは、６桁を入力すべきか４桁を入力すべきかを迷うことなく、４桁の数字を入力することができる。
【００３１】
ステップＳ１３０では、時刻受付部Ｆ２は、ステップＳ１２０で受け付けた時刻等の入力値が正しいか否か判定し、正しい場合はステップＳ１４０へ進む。例えば、２９８７（２９時８７分）や、３５１１１３（３５日１１時１３分）等といった、日時として有り得ない数字が入力された場合は、入力値が正しくないと判定し、ユーザーに時刻等の再入力をＯＳＤ表示等で促しつつ、ステップＳ１２０へ戻る。また、過去の日時が入力された場合（例えば、現在が２０日１０時３０分であり、１９１２３０（１９日１２時３０分）等と入力された場合）も、入力値が正しくないと判定する。
【００３２】
ステップＳ１４０では、表示制御部Ｆ３は、指定チャンネルで放送される番組であって、ステップＳ１２０で入力された日付（以下、指定日）の番組の情報を、放送受信装置１０が保持しているか否か判定する。番組の情報とは、ＥＰＧ（Electronic Program Guide）による電子番組表のデータである。放送受信装置１０は、受信する放送信号に定期的あるいは不定期に含まれるＥＰＧのデータを、自機内の所定の記憶領域（例えば、メモリー１３ｂ）に保存する。ＥＰＧのデータには、数日分（例えば８日分）の電子番組表が含まれている。そのため、表示制御部Ｆ３は、現時点で放送受信装置１０が保存している電子番組表に、指定日の番組の情報が含まれている場合に“Ｙｅｓ”と判定し、ステップＳ１５０へ進む。一方、表示制御部Ｆ３は、現時点で放送受信装置１０が保存している電子番組表に、指定日の番組の情報が含まれていない場合は“Ｎｏ”と判定し、ユーザーに時刻等の再入力をＯＳＤ表示等で促しつつ、ステップＳ１２０へ戻る。なお、ステップＳ１２０で４桁の数字が入力された場合、つまり指定日が存在しない場合は、便宜上、ステップＳ１４０では“Ｙｅｓ”と判定する。
【００３３】
ステップＳ１５０では、表示制御部Ｆ３は、指定チャンネルで放送される番組であって、ステップＳ１２０で入力された時刻（以下、指定時刻）を放送時間帯に含む番組（以下、時刻該当番組）だけの情報を記した番組情報画面を、ディスプレー３０に表示させる。つまり表示制御部Ｆ３は、現時点で放送受信装置１０が保存している電子番組表のデータを編集することにより番組情報画面を生成して、ディスプレー３０に表示させる。
【００３４】
図５は、ステップＳ１５０で表示される番組情報画面４２を例示している。番組情報画面４２は、ＯＳＤ表示される。例えば、「○○ＴＶ」という放送局を示す「３」というチャンネル番号の入力（長押し）がステップＳ１００で受け付けられた場合、番組情報画面４２内には、そのようなチャンネル番号や放送局名の表示とともに、「[↑][↓]ボタンで予約したい番組を選び、[録画]ボタンを押してください。」等といったメッセージが表示される。また、当該メッセージとともに、時刻該当番組だけの情報（例えば、放送の日付、放送の開始〜終了時刻、番組名）を数日分列挙した番組表が表示される。このような番組表を番組情報画面４２と呼んでも良い。
【００３５】
例えば、上述したように１５３５という４桁の数字の入力がステップＳ１２０で受け付けられた場合は、１５時３５分という指定時刻を放送時間帯（放送の開始〜終了時刻）に含む時刻該当番組のみが、数日分（図５の例では、２０１３年１２月２０日〜２７日までの８日分）番組情報画面４２に表示される。また、上述したように２２１５３５という６桁の数字の入力がステップＳ１２０で受け付けられた場合は、表示制御部Ｆ３は、番組情報画面４２のうち指定日に対応する欄（２２日の欄）を、図５内に示すように、ハイライト表示させる。
【００３６】
このようなハイライト表示により、指定日の番組、つまりユーザーが予約したい番組である可能性が高い番組の情報を目立たせることができる。なお、日付を指定しない前記４桁の数字の入力がステップＳ１２０で受け付けられた場合は、表示制御部Ｆ３は、番組情報画面４２のうち最も若い日付にかかる欄（図５の例では、２０１３年１２月２０日の欄）をハイライト表示するとしてもよい。ハイライト表示は、その時点における番組の選択状態を示すものでもある。
【００３７】
ステップＳ１６０では、予約受付部Ｆ４は、番組情報画面４２に情報が含まれる番組に対する予約登録を受け付ける。つまり、ユーザーは、番組情報画面４２を見ながらリモコン装置２０や操作部１６を操作することにより、予約したい番組を任意に選ぶ。このとき、リモコン装置２０等に設けられた上ボタンＵＢや下ボタンＤＢ（図１）を押すことで、ハイライト表示される（選択状態である）番組を番組情報画面４２内で変更することができる。また、ある番組を番組情報画面４２内で選択状態とした上で、リモコン装置２０等に設けられた録画ボタンを押すことで、その番組の録画予約を登録することができる。同様に、ある番組を番組情報画面４２内で選択状態とした上で、リモコン装置２０等に設けられた視聴ボタンを押すことで、その番組の視聴予約を登録することができる。予約受付部Ｆ４は、このようなユーザーの操作に従った予約の登録を受け付ける。以上で図３のフローチャートが終了する。
【００３８】
上述のように予約登録を受け付けた放送受信装置１０は、その後、予約にかかる番組の放送開始時刻に当該番組の録画あるいは視聴（ディスプレー３０による当該番組の出力）を開始する。なお本実施形態は、日付の指定を含んだ前記６桁の数字の入力がステップＳ１２０で受け付けられた場合、ステップ１５０において、指定日に対応する欄のみ（図５の例では、２０１３年１２月２２日の欄のみ）を番組情報画面４２において表示する態様を含むものである。
【００３９】
このように本実施形態によれば、チャンネル入力判定部Ｆ１が、ある１つのチャンネルに対応するチャンネボタンＣＢの長押しを認知した場合、時刻受付部Ｆ２は、入力画面４１をディスプレー３０に表示させ、ユーザーから時刻等（時および分、あるいは、日、時および分）の入力を受け付ける。そして、表示制御部Ｆ３は、当該長押しされたチャンネル（指定チャンネル）の番組であって、当該入力された時刻（指定時刻）を放送時間帯に含む番組（時刻該当番組）だけの情報を記した番組情報画面４２を生成して、ディスプレー３０に表示させる。つまりユーザーは、所望のチャンネルボタンＣＢの長押し、時刻等の入力、という非常に容易かつ少ない操作で、必要な情報に絞られた番組情報画面４２を見ることができ、番組情報画面４２から所望の番組を見つけ易い。従って、予約登録の効率が向上する。また、ユーザーは、所望の番組の開始時刻や終了時刻について記憶が曖昧でも、そのような番組を容易に見つけることができる。つまり、ユーザーは、予約登録したい番組について正確な開示時刻等を知らなくても、何時何分頃に放送中であろうといった曖昧な記憶に基づいて時刻等を入力し、その番組を見つけることができる。
【００４０】
３．第二の実施形態
次に第二の実施形態について説明する。第二の実施形態は、第一の実施形態と比較したとき、ステップＳ１５０で表示する番組情報画面の構成が異なるが、それ以外の点は第一の実施形態と同様である。
図６は、ステップＳ１５０で表示される番組情報画面４３を例示している。番組情報画面４３は、ＯＳＤ表示される。例えば、「○○ＴＶ」という放送局を示す「３」というチャンネル番号の入力（長押し）がステップＳ１００で受け付けられた場合、番組情報画面４３内には、そのようなチャンネル番号や放送局名の表示とともに、当該チャンネルで放送される各番組の情報が、一方の軸（横軸）を日付、他方の軸（縦軸）を時間帯とした表形式で表示される。
【００４１】
例えば、上述したように１５３５という４桁の数字の入力がステップＳ１２０で受け付けられた場合は、１５時３５分という指定時刻を放送時間帯に含む番組が含まれるように、数日分かつ数時間分の各番組の情報が番組情報画面４３として表示される。また、上述したように２２１５３５という６桁の数字の入力がステップＳ１２０で受け付けられた場合は、表示制御部Ｆ３は、この６桁の数字で特定される日時に放送時間が該当する番組（図６の例では、２２日の１５時３０分〜１６時００分に放送される番組）を、図６内に示すようにハイライト表示させる。このようなハイライト表示により、指定日の番組、つまりユーザーが予約したい番組である可能性が高い番組の情報を目立たせることができる。なお、日付を指定しない前記４桁の数字の入力がステップＳ１２０で受け付けられた場合は、表示制御部Ｆ３は、番組情報画面４３のうち最も若い日付における、指定時刻を放送時間帯に含む番組をハイライト表示するとしてもよい。ハイライト表示は、第一の実施形態と同様、その時点における番組の選択状態を示すものでもある。
【００４２】
ステップＳ１６０では、予約受付部Ｆ４は、番組情報画面４３に情報が含まれる番組に対する予約登録を受け付ける。つまり、ユーザーは、番組情報画面４３を見ながらリモコン装置２０や操作部１６を操作することにより、予約したい番組を任意に選ぶ。このとき、リモコン装置２０等に設けられた上ボタンＵＢや下ボタンＤＢや右ボタンＲＢや左ボタンＬＢ（図１）を押すことで、ハイライト表示される（選択状態である）番組を番組情報画面４３内で変更することができる。また、ある番組を番組情報画面４３内で選択状態とした上で、リモコン装置２０等に設けられた録画ボタンを押すことで、その番組の録画予約を登録することができる。同様に、ある番組を番組情報画面４３内で選択状態とした上で、リモコン装置２０等に設けられた視聴ボタンを押すことで、その番組の視聴予約を登録することができる。予約受付部Ｆ４は、このようなユーザーの操作に従った予約の登録を受け付ける。
【００４３】
４．第三の実施形態
表示制御部Ｆ３は、番組情報画面４２（図５）をディスプレー３０に表示させた状態で時間帯の切替え指示を受け付けた場合には、指定チャンネルの番組であって指定時刻を放送時間帯に含む番組に対して時間帯が前あるいは後の番組の情報を記した画面に、ディスプレー３０の表示を切替えるとしてもよい。つまり、ステップＳ１５０において番組情報画面４２を表示させた状態で、例えば、ユーザーがリモコン装置２０等に設けられた右ボタンＲＢや左ボタンＬＢを押す。すると、直前までハイライト表示されていた時刻該当番組に対して時間帯が前あるいは後の、同じチャンネルの番組の情報を記した画面に切替わる。このような画面の切替えは、電子番組表のデータを参照して行う。
【００４４】
図７に例示するように、ステップＳ１５０において番組情報画面４２内のある番組が選択状態（ハイライト表示）とされているとき、表示制御部Ｆ３は、時間帯の切替え指示の一種である左ボタンＬＢの操作を検知した場合、当該選択されている番組の一つ前の時間帯の、同じチャンネルの番組の情報を記した番組情報画面４２ａを生成し、番組情報画面４２ａの表示へ切替える。また、表示制御部Ｆ３は、時間帯の切替え指示の一種である右ボタンＲＢの操作を検知した場合、当該選択されている番組の一つ後の時間帯の、同じチャンネルの番組の情報を記した番組情報画面４２ｂを生成し、番組情報画面４２ｂの表示へ切替える。当該構成によれば、ユーザーは、予約したい番組が放送される時間帯の記憶が曖昧であり、予約したい番組が放送される時間帯に属さない時刻を入力して（ステップＳ１２０）図５の画面を表示させてしまった場合であっても、時間帯の切替え指示という容易な操作により、所望の番組を簡単に見つけることができる。
【００４５】
５．第四の実施形態
表示制御部Ｆ３は、番組情報画面４２（図５）を表示させた状態でチャンネルの切替え指示を受け付けた場合には、当該切替え先のチャンネルの番組であって指定時刻を放送時間帯に含む番組だけの情報を記した画面にディスプレー３０の表示を切替えるとしてもよい。つまり、ステップＳ１５０において番組情報画面４２を表示させた状態で、例えば、ユーザーがリモコン装置２０等に設けられたチャンネルボタンＣＢであって、それまでの指定チャンネルとは別のチャンネルボタンＣＢを押す。
【００４６】
すると図８に例示するように、表示制御部Ｆ３は、それまで表示させていた番組情報画面４２から、切替え先のチャンネル（例えば、５チャンネルの「テレビ×××」という放送局）による番組の情報を記した番組情報画面４４へ表示を切替える。このような画面の切替えは、電子番組表のデータを参照して行う。番組情報画面４４も、例えば、上述したように１５３５という４桁の数字の入力がステップＳ１２０で受け付けられている場合は、１５時３５分という指定時刻を放送時間帯に含む番組のみを（数日分あるいは一日分）表示したものである。
【００４７】
当該構成によれば、ユーザーは、予約したい番組が放送されるチャンネルの記憶が曖昧であり、予約したい番組が放送されるチャンネルとは異なるチャンネルのチャンネルボタンＣＢを長押しして（ステップＳ１００）、図４，５の画面を表示させてしまった場合であっても、チャンネルの切替え指示という容易な操作により、所望の番組を簡単に見つけることができる。むろん、表示制御部Ｆ３は、ステップＳ１５０で番組情報画面４３（図６）を表示した場合も同様に、チャンネルの切替え指示を受け付けた場合には、当該切替え先のチャンネルの番組にかかる番組情報画面を表示することができる。また、第三の実施形態（時間帯の切替え）と第四の実施形態（チャンネルの切替え）とを行う構成も本発明の範囲に属する構成である。
【００４８】
６．第五の実施形態
表示制御部Ｆ３は、指定時刻と、指定チャンネルの番組であって指定時刻を放送時間帯に含む番組（時刻該当番組）の終了時刻との差が所定時間以内である場合には、当該番組の情報を特定の表示態様とした番組情報画面をディスプレー３０に表示させるとしてもよい。ここでいう所定時間とは、例えば、５分や１０分といった比較的短い時間である。
【００４９】
図９は、番組情報画面４２（図５）において、指定時刻と終了時刻との差が所定時間（５分）以内である時刻該当番組について前記特定の表示態様とした例を示している。例えば、上述したように指定時刻が１５時３５分である場合、わずか５分後に終了する時刻該当番組（図９では、２３日の１５時５分〜１５時４０分に放送される番組）については、その情報が記載された範囲を、ハイライト表示とは別の色で装飾したり、点滅表示したりする。当該構成によれば、特定の表示態様により、指定時刻を放送時間帯に含む番組よりも後に放送される番組を確認すべきことをユーザーに示唆することができる。
【００５０】
ユーザーは、予約したい番組の放送時間帯に属する時刻を自らの記憶に基づいてステップＳ１２０で入力するが、そのように入力した指定時刻がある番組の終了間際の時刻である場合、ユーザーが本来予約したい番組は、当該指定時刻よりも後に開始される番組である可能性が大いに考えられる。つまり、ユーザーが勘違いして、予約したい番組の開始時刻よりも少し早めの時刻を指定時刻としてしまった可能性が考えられる。当該第五の実施形態によれば、上述した特定の表示態様をユーザーに見せることでこのような勘違いを気付かせて、指定時刻を放送時間帯に含む番組よりも放送が後の番組を確認するようにユーザーを誘導することにより、結果的に、ユーザーは所望の番組を簡単に見つけることができる。
【符号の説明】
【００５１】
１０…放送受信装置（表示制御装置）、１１…チューナ、１２…デコーダー、１３…制御部、１３ａ…ＣＰＵ、１３ｂ…メモリー、１４…出力Ｉ／Ｆ、１５…リモコンＩ／Ｆ、１６…操作部、１７…記憶装置、２０…リモコン装置、３０…ディスプレー、４１…入力画面、４２，４２ａ，４２ｂ，４３，４４…番組情報画面、ＣＢ…チャンネルボタン、ＵＢ…上ボタン、ＤＢ…下ボタン、ＲＢ…右ボタン、ＬＢ…左ボタン、Ｆ１…チャンネル入力判定部、Ｆ２…時刻受付部、Ｆ３…表示制御部、Ｆ４…予約受付部
【図１】
2015119254.tif 000003
【図２】
2015119254.tif 000004
【図３】
2015119254.tif 000005
【図４】
2015119254.tif 000006
【図９】
2015119254.tif 000007
【図５】
2015119254.tif 000008
【図６】
2015119254.tif 000009
【図７】
2015119254.tif 000010
【図８】
2015119254.tif 000011